(57)【要約】【課題】  近年、電化製品の多くが電子制御化され、多くの製品で、キーの入力時や、終了時などに電子音を発するようになってきた。そのような中で生活騒音に対する関心も高まってきており、特に夜間使用時については、敏感になってきている。そこで、騒音に配慮した加熱調理器を得る。【解決手段】    食品ａを載置する加熱室２と、加熱室２の開口部を開閉するドア３と、加熱室２内部を照らす庫内灯４と、本体１の前面の操作パネル５に設けられた加熱内容などを表示する表示器７と表示器７を裏から照らすバックライト６と、加熱設定のキー入力時や加熱終了時などに報知音を発す報知発生装置１１を備えた加熱調理器において、加熱設定のキー入力時や加熱終了時などに報知発生装置１１から発する報知音を無音にしたものである。  【選択図】  図１
2006177594.tif 000002
【特許請求の範囲】
【請求項１】
食品（ａ）を載置する加熱室（２）と、加熱室（２）の開口部を開閉するドア（３）と、加熱室（２）内部を照らす庫内灯（４）と、本体（１）の前面の操作パネル（５）に設けられた加熱内容などを表示する表示器（７）と表示器（７）を裏から照らすバックライト（６）と、加熱設定のキー入力時や加熱終了時などに報知音を発す報知発生装置（１１）を備えた加熱調理器において、加熱設定のキー入力時や加熱終了時などに報知発生装置（１１）から発する報知音を無音にすることを特徴とする加熱調理器。
【請求項２】
前記庫内灯（４）と、前記バックライト（６）のどちらか一方、もしくは両方の光源の明るさの変化や点滅の周期によって加熱の進行状況が視覚的に判断できる時に、加熱設定のキー入力時、加熱終了時などに報知発生装置（１１）から発する報知音を無音にするための切換手段（１２）を備え、使用者の任意で切換可能とすることを特徴とする請求項１記載の加熱調理器。
【発明の詳細な説明】
【技術分野】
【０００１】
本発明は、生活騒音に配慮した高周波加熱装置等の加熱調理器に関するものである。
【背景技術】
【０００２】
従来の高周波加熱装置として、特許文献１及び特許文献２に示す調理器がある。
【０００３】
特許文献１に示すものは、発光素子が加熱の進行に関連して点灯、点滅もしくは調光し、視覚的に加熱の進行状況を表現したもので、電子レンジの加熱プログラムの進行に対応し、最初は通常の明るさで点灯し、加熱の終了前になるとゆっくりと点滅し、終了直前には速く点滅することで、視覚的に加熱の進行状況がわかるようになっている。
【０００４】
また、特許文献２に示すものは、報知音を生成するための報知音データをダウンロードし、受信した報知音データに基づいて報知音を生成するもので、使用する人の嗜好に合わせて報知音データをダウンロードができるようになっている。  さらに、電化製品はいろいろな人によって使用されるので、例えばお年寄りなど聴力が弱い人の場合、報知音が聞き取りにくい場合がある。そのため聴力の程度に報知音データを対応付けしたデータベースを用意して、聴力の程度に応じた報知音データを選択することができるものもある。
【０００５】
【特許文献１】特開２００３−１３９３３６号公報
【０００６】
【特許文献２】特開２００２−３５４１４６号公報
【発明の開示】
【発明が解決しようとする課題】
【０００７】
近年、電化製品の多くが電子制御化され、多くの製品で、キーの入力時や、終了時などに電子音を発するようになってきた。そのような中で生活騒音に対する関心も高まってきており、特に夜間の使用については、敏感になってきている。
【課題を解決するための手段】
【０００８】
本発明は上記課題を解決する為になされたもので、請求項１では、食品を載置する加熱室と、加熱室の開口部を開閉するドアと、加熱室内部を照らす庫内灯と、本体の前面の操作パネルに設けられた加熱内容などを表示する表示器と表示器を裏から照らすバックライトと、加熱設定のキー入力時や加熱終了時などに報知音を発す報知発生装置を備えた加熱調理器において、加熱設定のキー入力時や加熱終了時などに報知発生装置から発する報知音を無音にしたものである。
【０００９】
また、請求項２では、前記庫内灯と、前記バックライトのどちらか一方、もしくは両方の光源の明るさの変化や点滅の周期によって加熱の進行状況が視覚的に判断できる時に、加熱設定のキー入力時、加熱終了時などに報知発生装置から発する報知音を無音にするための切換手段を備え、使用者の任意で切換可能としたものである。
【発明の効果】
【００１０】
上記本発明の請求項１によれば、生活騒音などを考慮して、加熱終了音などの報知音（ブザー、メロディ）を無音にすることにより、特に深夜など第三者に音による迷惑をかけないで済むことができる。
【００１１】
また、請求項２によれば、前述の庫内灯や操作パネルの表示器に設けられたバックライト等の光源類を点滅動作することで、視覚的な部分で加熱状況（加熱終了など）を知らせる場合は、切換手段により加熱設定のキー入力時や加熱終了時などに発する報知音（ブザー、メロディ）を無音にすることができ、使用者の使い方、ライフスタイルに合わせた操作性を提供することができる。
【発明を実施するための最良の形態】
【００１２】
本発明の一実施例を図１と図２に従って説明する。
【００１３】
図１は、高周波加熱装置の構成図で、１は高周波加熱装置の本体である。２は金属製導体で構成された加熱室で、食品ａを収納し、収納した食品ａを加熱する所である。３はドアで、加熱室２内に食品ａを出し入れするための加熱室２の前面開口部を塞ぐもので、食品ａを出し入れする時はドア３を開閉して行う。１７はドアＳＷで、ドア３を開けるとＯＮもしくはＯＦＦし、閉めるとＯＦＦもしくはＯＮすることでドア３の開閉情報を後述する制御部１３に入力するスイッチである。
【００１４】
４は庫内灯で、加熱室２内を照らすためのもので、加熱室２の外側に設置され、加熱室２の壁面に開けた穴を通して加熱室２内を照らす。そして、庫内灯４の点灯するタイミングは、後述するスタートキー９の入力を検出し加熱が開始したときに点灯する。
【００１５】
２０は高周波を発生するための高周波発生ユニットで、食品ａを高周波で加熱するためのものである。２１はヒータで、食品を焼いたりする時に使用するものである。８は設定キーで、加熱方法の選択や加熱時間の設定、さらにオート調理の設定を行う入力キーである。９はスタートキーで、設定キー８で設定された内容で加熱を開始するための入力キーである。１０はとりけしキーで設定キー８で設定した内容を取り消したり、加熱を途中で中止するための入力キーである。
【００１６】
１２は切換手段で、加熱設定のキー入力時や加熱終了時などに後記する報知発生装置１１から発する報知音（ブザー、メロディ）を鳴らしたり、無音にするための切換スイッチである。７は表示器で、設定キー８で設定された内容を表示し、加熱の進行状態を表示するところである。６はバックライトで、表示器７を照らすための明かりで、表示器７の裏面から面光源となるように構成され、光源には発光ダイオードなどを配置している。そして、バックライト６の点灯するタイミングは、食品ａを加熱するためにドア３を開けた時や、ドア３の開閉をドアＳＷ１７が検出した時、または設定キー８が入力された時、またはどちらか速い方のタイミングで点灯するようになっている。５は操作パネルで、ドア３の下部に設けられ、設定キー８やスタートキー９、とりけしキー１０、表示器７、バックライト６、切換手段１２を、使用者が使い易いように配置したものである。１１は報知発生装置で、後記設定キー８の入力時、加熱終了時などに報知音を発するものである。
【００１７】
１３は制御部で、各種入力部である設定キー８やスタートキー９、とりけしキー１０や切換手段１２からの信号に基づいて各動作を決定し遂行する所であり、設定キー８から入力された加熱の内容を表示器７に表示し、スタートキー９より加熱開始の入力があると、設定された内容に基づいて高周波発生ユニット２０やヒータ２１を動作させることで加熱を開始し、設定加熱時間が経過した後は、自動的に加熱を停止させるところである。
【００１８】
１４は電力開閉回路Ａで、制御回路１３から出力される報知発生装置１１を鳴らすための信号を元に、報知発生装置１１を駆動するための電力を供給するための回路である。１５、１６、１８、１９も同様で、電力開閉回路Ｂ１５は制御部１３から出力される信号に基づいて、庫内灯４をＯＮ／ＯＦＦするための電力を供給する開閉回路である。電力開閉回路Ｃ１６は制御部１３から出力される信号に基づいて、バックライト６をＯＮ／ＯＦＦするための電力を供給する開閉回路である。電力開閉回路Ｄ１８は制御部１３から出力される信号に基づいて、高周波発生ニユット２０をＯＮ／ＯＦＦするための電力を供給する開閉回路である。電力開閉回路Ｅ１９は制御部１３から出力される信号に基づいて、ヒータ２１をＯＮ／ＯＦＦするための電力を供給する開閉回路である。
【００１９】
次に本実施例の動作について説明する。
【００２０】
食品ａを加熱するためにドア３を開けて食品ａを加熱室２内に入れる。その時表示器７のバックライト６が点灯する。次に加熱するために設定キー８で、加熱方法や加熱時間を設定する。このとき、使用者は以後の設定キー８の入力時や加熱終了時などに報知発生装置１１から報知音を発生させるか否かを選択する。報知音を発生させる場合には切換手段１２をＯＮにし、無音にする場合はＯＦＦにする。以後切換手段１２をＯＦＦにした場合について説明すると、設定キー８を入力しても報知発生装置１１からはキー入力時の報知音は鳴らず、表示器７に入力内容が表示される。ただし、使用者は表示器７を見ながら設定キー８を入力することで、入力間違えの無いことを確認することができる。次に設定が終了すると、スタートキー９の入力で食品ａへの加熱が開始し、同時に庫内灯１１が点灯する。使用者は前記同様にキー入力の報知音が鳴らなくても、庫内灯１１が点灯することで、キー入力が有効になり、加熱が開始したことを確認することができる。加熱は、設定された時間や事前に設定されている一定条件に満たされた時に終了する。加熱が終了すると庫内灯４とバックライト６の両方もしくはどちらか一方が点灯から点滅に変わり加熱終了を使用者に知らせる。
【００２１】
使用者が加熱終了を確認して食品を取り出すためにドア３を開けるか、もしくは、とりけしキー１０を押すことによって光源類は消灯する。もし使用者が何もしない場合には、例えば加熱終了直後の点滅周期を約２秒周期とした場合、１分後には点滅周期を約１.５秒周期として、終了２分後には点滅周期を約１秒周期とし段階的に点滅周期を短くしていく。そして、加熱終了３分後には光源類を消灯とする。もしくは、明るさを変化させることで、使用者に加熱が終了したことを知らせる。
【００２２】
なお、上記実施例では報知音発生装置１１から発する報知音の有り、無しを選択する、切換方法の一例として、操作パネル５内に切換手段１２のスイッチを設けたが、これ以外に特別にキーを設けない方法として、数ある設定キー８を使用して、特定の設定キー８の二重押しで切換る方法や、タイマー機能を使用して使用者の生活スタイルに合わせて夜間や深夜など報知音が気になる時間帯を使用者が設定して設定の時間帯になると自動的に無音に切換るようにすることもできる。
【００２３】
また、完全に無音にしないで、加熱調理器の設定キー８を設定している時に聞こえる程度の小音にして視覚効果と併用することも可能である。
【００２４】
ただし、無音に設定できるのは、光源の明るさや点滅の周期によって加熱の進行状況が視覚的に判断できるように設定されている時のみとし、切換手段１２で無音に切換えたときは、加熱の進行状況が視覚的に判断できるように自動的に設定変更する。
【００２５】
以上の説明のように、本発明では設定キー８の入力時や加熱終了時、食品の裏返し等の動作時に、報知する報知音（ブザー、メロディ）を消音して、加熱室２内を照らす庫内灯４や操作パネル５に設けられた表示器７のバックライト６の光源類の明るさを変化させたり点滅させることで、視覚的な部分で使用者に加熱の進行状況をお知らせし、生活騒音を減少することができ、深夜に第三者に音を聞かせて迷惑をかけないで使用ができるものである。
【００２６】
また、前述の庫内灯４や操作パネル５に設けられた表示器７のバックライト６等の光源類の明るさの変化や点滅の周期によって加熱の進行状況が視覚的に判断できる時に、切換手段１２を用いることで報知音（ブザー、メロディ）を無音にすることができるので、使用者の使い方や生活スタイルに合った使い方を提供することができるものである。
【図面の簡単な説明】
【００２７】
【図１】本発明の高周波加熱装置の一実施例を示す構成図である。
【図２】本発明の概略構成図である。
【符号の説明】
【００２８】
２・・加熱室
４・・庫内灯
６・・バックライト
１１・・報知発生装置
１２・・切換手段
【図１】
2006177594.tif 000003
【図２】
2006177594.tif 000004